(57)【要約】【目的】  本発明によれば、鏡の品位を損なうことなく、観察者にとって最適な照明効果とミラー効果を実現する鏡付き照明を提供することにある。【解決手段】  鏡体から照明光を出射する鏡付き照明であって、鏡体は、鏡面として観察者側に配置されたハーフミラーと、ハーフミラーの背面に配置された導光板からなり、導光板の少なくとも一つの側端面に光源が配置され、導光板のハーフミラーと対向していない背面には、光源から出射される光を照明光として取り出す複数の光取り出し構造が設けられていることを特徴とする。【選択図】  図１
2015039560.tif 000002
【特許請求の範囲】
【請求項１】
鏡体から照明光を出射する鏡付き照明であって、
前記鏡体は、鏡面として観察者側に配置されたハーフミラーと、前記ハーフミラーの背面に配置された導光板からなり、
前記導光板の少なくとも一つの側端面に光源が配置され、
前記導光板の前記ハーフミラーと対向していない背面には、前記光源から出射される光を照明光として取り出す複数の光取り出し構造が設けられていることを特徴とする鏡付き照明。
【請求項２】
前記導光板は、複数の導光板が積層されたものであり、
前記複数の導光板で異なる位置に前記光取り出し構造が設けられていることを特徴とする請求項１に記載の鏡付き照明。
【請求項３】
前記複数の光取り出し構造は、前記導光板の背面に対し、それぞれに傾斜面の角度が異なることを特徴とする請求項１または請求項２記載の鏡付き照明。
【請求項４】
前記導光板の異なる側端面に、発光色の異なる光源が備えられていることを特徴とする請求項１から請求項３のいずれかに記載の鏡付き照明。
【請求項５】
前記光源を制御する人体検知センサを備えることを特徴とする請求項１から請求項４のいずれかに記載の鏡付き照明。
【発明の詳細な説明】
【技術分野】
【０００１】
本発明は、鏡体から照明光を出射する鏡付き照明に関する。
【背景技術】
【０００２】
観察者が化粧などを行う際に使用される鏡には、鏡に映る観察者を最適に照らす照明が求められる。しかし、鏡と照明とを別体にすると、照明の角度によって鏡に映し出される観察者に影が生じるので好ましくない。そこで、鏡と照明と一体化した鏡付き照明が開発されている。
【０００３】
鏡付き照明の一例として、特許文献１には、鏡の一部をハーフミラーとし、ハーフミラーの裏側に照明器具を取り付けることにより、鏡の一部を鏡兼用の照明具とすることを特徴とする姿見鏡が開示されている。図７は特許文献１記載の姿見鏡の正面図、図８は特許文献１記載の姿見鏡の断面図である。特許文献１記載の姿見鏡１００は、図７に示すように、鏡１０１上部をハーフミラー化して裏面に熱陰極管を鏡から離れた上部に片側１灯使用する導光板方式の面発光光源１０２を取り付けたものである。面発光光源１０２は、図８に示すように、ランプ１０３、導光板１０４、拡散板を兼ねたハーフミラー１０５、裏板１０６によって構成されている。
【０００４】
上記の構成のように、片側に光源を設けた導光板方式の面発光光源１０２は、ランプ１０３の光が導光板１０４のランプ１０３側断面から入射し、導光板１０４を経由したあるいは導光板底面に設けられた印刷ドットパターン（図示せず）により反射された光がハーフミラー１０５を通り表面に放射される。
【０００５】
このようにして特許文献１記載の姿見鏡は、鏡１０１の一部にハーフミラー化された面発光光源１０２を設けることで、一見は全体が鏡でありながら、ハーフミラー化されたエリアに取り付けた面発光光源１０２を点灯することで照明器具としても機能させることができる。
【先行技術文献】
【特許文献】
【０００６】
【特許文献１】特開平１１−４６９４５号公報
【発明の概要】
【発明が解決しようとする課題】
【０００７】
しかしながら、特許文献１記載の姿見鏡では、鏡１０１とハーフミラー化された面発光光源１０２の表面で光反射率が異なるため、光源であるランプ１０３を消灯して全体を鏡として使用する時に、鏡１０１とハーフミラー化された面発光光源１０２との境界が目立ち、鏡としての品位を損ねてしまうという課題があった。
【０００８】
例えば特許文献１記載の姿見鏡において、照明となる面発光光源１０２はハーフミラー面となり、それ以外の部分は通常のミラー面となる。ここで、ハーフミラー面の反射率は通常のミラーの反射いると異なり、一般的には低くなることを鑑みると、特許文献１の構成において、非点灯時にミラー面とハーフミラー面は物理的な境界と合わせて光学的な特性の境界も現れることになる。具体的には、通常のミラー面が反射率８０％程度に対して、ハーフミラー面は反射率５０％程度になるため鏡像の明るさはミラー面とハーフミラー面の境界で８０％と５０％の差が明確に表れることになる。特にハーフミラー面を鏡全面の中において端部以外、例えば中央近傍、に配置した場合は照明の非点灯時においてその境界で大きな反射率の差が生じ、極めて違和感のある鏡となり、鏡としての品位を大きく損なう。
【０００９】
本発明は、上記課題を解決するためになされたものであり、その目的は、鏡の品位を損なうことなく、観察者にとって最適な照明効果とミラー効果を実現する鏡付き照明を提供することにある。
【課題を解決するための手段】
【００１０】
本発明に係る鏡付き照明は、鏡体から照明光を出射する鏡付き照明であって、鏡体は、鏡面として観察者側に配置されたハーフミラーと、ハーフミラーの背面に配置された導光板からなり、導光板の少なくとも一つの側端面に光源が配置され、導光板のハーフミラーと対向していない背面には、光源から出射される光を照明光として取り出す光取り出し構造が設けられていることを特徴とする。
【００１１】
また、本発明の鏡付き照明において、導光板は複数の導光板が積層されたものであり、複数の導光板で異なる位置に光取り出し構造が設けられていてもよい。
【００１２】
また、本発明の鏡付き照明において、複数の光取り出し構造は、導光板の背面に対し、それぞれに傾斜面の角度が異なっていてもよい。
【００１３】
また、本発明の鏡付き照明は、導光板の異なる側端面に、発光色の異なる光源が備えられていてもよい。
【００１４】
さらに、本発明の鏡付き照明は、光源を制御する人体検知センサを備えることを特徴としてもよい。      
【発明の効果】
【００１５】
本発明によれば、鏡の品位を損なうことなく、観察者にとって最適な照明効果とミラー効果を実現する鏡付き照明を提供することができる。
【図面の簡単な説明】
【００１６】
【図１】本発明の実施形態１に係る鏡付き照明の斜視図である。
【図２】本発明の実施形態１に係る鏡付き照明の概略断面図及び正面図である。
【図３】本発明の実施形態２に係る鏡付き照明の概略断面図及び正面図である。
【図４】本発明の実施形態３に係る鏡付き照明の概略断面図及び正面図である。
【図５】本発明の実施形態４に係る鏡付き照明の概略断面図及び正面図である。
【図６】本発明の実施形態５に係る鏡付き照明の概略断面図及び正面図である。
【図７】特許文献１記載の姿見鏡の正面図である。
【図８】特許文献１記載の姿見鏡の断面図である。
【発明を実施するための形態】
【００１７】
本発明に係る鏡付き照明の実施形態について、図面を参照しながら詳細に説明する。本発明の鏡付き照明は、洗面台に備え付けられた洗面台用鏡、手鏡、化粧用コンパクト、あるいは店舗などに設置される姿見鏡などに適用される。なお、以下の実施形態は本発明が具現化された一例にすぎず、本発明の要旨を変更しない範囲で、実施形態が適宜変更され得ることは勿論である。また、本発明の図面において、同一部分または相当部分は、同一の参照符号で表すものとする。
【００１８】
〔実施形態１〕
本発明に係る実施形態１の鏡付き照明１ａの構成について図面に基づいて説明する。図１は実施形態１に係る鏡付き照明１ａの概略構成を示す斜視図である。また、図２（Ａ）は実施形態１に係る鏡付き照明１ａの概略断面図であり、図２（Ｂ）は実施形態１に係る鏡付き照明１ａを観察者側から見た正面図である。なお、ここでは、説明の簡略化のためにハーフミラー３、導光板４及び光源６の支持にかかわる機構の図示を省略している。
【００１９】
実施形態１に係る鏡付き照明１ａは、図１及び図２に示すように、鏡フレーム２に嵌めこまれたハーフミラー３と導光板４からなる鏡体５と、導光板４の下端面に配置された光源６とからその主要部が構成されている。
【００２０】
鏡体５は、ハーフミラー３と導光板４を積層し構成される。
【００２１】
ハーフミラー３は、図１及び図２に示すように、鏡フレーム２に嵌めこまれ、観察者側に鏡体５の鏡面として配置される。ハーフミラー３には、透明な合成樹脂、ガラス等の片面に金属蒸着もしくは蒸着フィルムを貼り付けされることにより形成されたものを使用する。
【００２２】
また、ハーフミラー３の光透過率は、本発明の効果を損なわない範囲から適宜選択されればよく、鏡としてのミラー効果を強調するために、５０％未満であることが特に好ましい。
【００２３】
導光板４は、ハーフミラー３の背面に配置される。導光板４は、透光性部材であれば材質形状を問わず、透明樹脂や透明ガラスを用いることができる。透明樹脂は、例えば、メタクリル系樹脂、アクリル系樹脂、ポリカーボネート系樹脂、ポリエステル系樹脂、塩化ビニル系樹脂などの部材が好ましい。
【００２４】
導光板４には、ハーフミラー３と対向していない背面の上部及び下部の複数箇所に微細な光取り出し構造７が備えられている。ここで、光取り出し構造７は、図２（Ａ）に示すような凹ドットに限られず、凸ドットであってもよい。また、光取り出し構造７の断面形状は、図２（Ａ）に示すような概略三角形状に限られず、概略四角形状、概略半円形状などであってもよい。
【００２５】
また、光取り出し構造７の大きさは、一つ一つ大きさが異なっていてもよく、ハーフミラー３越しに、光取り出し構造７が観察者に視認されない範囲から適宜選択されればよく、光取り出し構造７の開口をφ０．２ｍｍ以下にすることが特に好ましい。
【００２６】
さらに、光取り出し構造７の密度及び分布形状も、等間隔に限られず、グラデーション分布を形成するなど、本発明の効果を損なわない程度に適宜調整してよい。
【００２７】
光源６は、図示しない光源６の支持部材によって、光源６から出射される光が導光板４の下端面から導光板４の内部に進入できるよう、導光板４の下端面に配置されている。光源６には、ＬＥＤ（Ｌｉｇｈｔ−Ｅｍｉｔｔｉｎｇ  Ｄｉｏｄｅ）モジュールや冷陰極管、熱陰極管、電球などを用いることができる。また、光源６から出射される光の波長は、その用途に応じて適宜選択できる。また、光源６の発光色は電球色、昼白色といった白色に制限されず、必要に応じて、緑や赤などの単色を用いてもよい。
【００２８】
次に、実施形態１に係る鏡付き照明１ａの作用について説明する。
【００２９】
不図示の電源から光源６に電力を供給し、光源６を発光させると、光源６から出射された光Ｌ１は、導光板４の下端面から導光板４内部に進入し、導光板４のハーフミラー３側の面と鏡フレーム２側の面でそれぞれ全反射を繰り返しながら、導光板４内部を進行する。ここで、導光板４の上端面まで到達した光Ｌ１は、導光板４の上端面で反射されて、導光板４内部を再び進行する。ここで、導光板４の上端面には、光の反射を促進する工夫が施されていてもよい。光の反射を促進する工夫としては、例えば、反射シートの貼付や塗装が挙げられる。また、必ずしも光の反射を促進する工夫を施す必要はなく、用途によっては、吸収シートの貼付など光の反射を抑制する工夫を施してもよい。
【００３０】
導光板４の内部に進行した光Ｌ１のうち、光取り出し構造７より反射された光は、導光板４から観察者側に出射される。導光板４から出射された光Ｌ２は、ハーフミラー３を透過し、鏡体５から照明光として出射され、図示しない観察者を照明する。したがって、導光板４から出射された光Ｌ２は、図２（Ｂ）が示すように、ハーフミラー３表面の上部と下部に発光エリア８を形成する。また、観察者を照明した光の反射光Ｌ３は、ハーフミラー３で反射されて鏡像を形成し、観察者に明瞭に視認されることになる。
【００３１】
実施形態１に係る鏡付き照明１ａは、観察者を照明する照明光をハーフミラー３の裏側からハーフミラー３を透過させ出射するため、観察者が鏡付き照明１ａに近づいても影が生じることなく、かつ、観察者の鏡像を妨げることなく、観察者を照明することができる照明効果を有する。
【００３２】
ここで、従来からある印刷ドットパターンにより反射された光が散乱光であるのに対し、光取り出し構造７により反射された光Ｌ２は、光取り出し構造７の断面形状に応じた指向性を有する。そのため、実施形態１に係る鏡付き照明１ａは、鏡面を全面ハーフミラー３で形成しても、発光エリア８をハーフミラー３表面上の一部に限定することができ、照明効果と観察者の鏡像を映すミラー効果を両立することができる。したがって、実施形態１に係る鏡付き照明１ａは、観測者が鏡面として認識する範囲全面同じ光反射率を有するハーフミラー３で構成することができるので、特許文献１記載の姿見鏡のように光反射率の異なる鏡とハーフミラーの境界がなく、光源６の消灯時においても、鏡としての品位を損ねることはない。
【００３３】
なお、光取り出し構造７により反射された光Ｌ２の指向性は、光取り出し構造７の断面形状により調整でき、例えば、光取り出し構造７の断面形状が直線にて構成されているときは指向性が強くなり、曲線が多くなるに従い指向性が弱くなる。また、断面形状の光取り出し構造７の形成された面に対する傾斜角を変化させることによって、出射光の指向性の方向を変えることも可能である。よって、光取り出し構造７により反射された光Ｌ２は、光取り出し構造７の断面形状を変化させることで、特定範囲における光量を大きくするよう調節できる。そのため、実施形態１の鏡付き照明１ａには、例えば、光透過率５０％未満のハーフミラーも使用することができ、光透過率の低いハーフミラーを用いることで、鏡としてのミラー効果を強調することも可能である。
【００３４】
また、実施形態１に係る鏡付き照明１ａは、それぞれに異なる断面形状あるいは大きさを有する光取り出し構造７を設けることで、複数方向に指向性を有する照明光を出射させ、様々な照明効果も演出することもできる。
【００３５】
さらに、使用する光源６の光量が小さく、ハーフミラー３に光透過率の高いハーフミラーを使用する場合には、導光板４の背面に光反射率の小さい板やシートを配置することで、ミラー効果を補強してもよい。例えば、導光板４の背面に黒色の板やシートを設けることで、コントラストを高める効果があり、ミラー効果を補強することができる。
【００３６】
なお、実施形態１に係る鏡付き照明１ａにおいて、図２（Ｂ）に示すように、ハーフミラー３及び導光板４の形状を概略長方形の平板としているが、ハーフミラー３及び導光板４の形状は長方形である必要はなく、多角形や円形、その他の形状でもよく、形状に制限はない。また、導光板４は平板でなくともよく、湾曲していてもよい。
【００３７】
〔実施形態２〕
次に、実施形態２に係る鏡付き照明１ｂについて説明する。
【００３８】
図３（Ａ）は実施形態２の鏡付き照明１ｂの概略断面図であり、図３（Ｂ）は実施形態２の鏡付き照明１ｂを観察者側から見た正面図である。
【００３９】
実施形態２の鏡付き照明１ｂは、図３（Ａ）に示すように、実施形態１の鏡付き照明１ａと同様に、鏡フレーム２に嵌めこまれたハーフミラー３と導光板４からなる鏡体５と、導光板４の下端面に配置された光源６とからその主要部が構成されている。
【００４０】
実施形態２の鏡付き照明１ｂは、図３（Ａ）に示すように、実施形態１の鏡付き照明１ａと異なり、光取り出し構造７の断面形状を概略二等辺三角形形状ではなく、導光板４背面に対し、傾斜面の角度が異なる概略直角三角形状としている。図３には、光取り出し構造７の断面形状を概略直角三角形状として図示しているが、この形状に限定されるものではない。また、実施形態２の鏡付き照明１ｂにおいて、導光板４にハーフミラー３と対向していない背面の複数箇所に備えられた光取り出し構造７ａ、７ｂの断面形状が、実施形態１の鏡付き照明１ａと異なり、上部と下部で異なる断面形状を有している。下部に設けられた光取り出し構造７ａの断面形状は、斜面が下になる概略直角三角形状になっており、一方で、上部に設けられた光取り出し構造７ｂの断面形状は、斜面が上になる概略直角三角形状になっている。
【００４１】
実施形態２の鏡付き照明１ｂの作用について説明する。
【００４２】
実施形態２の鏡付き照明１ｂにおいて、導光板４内部を進行する光のうち光取り出し構造７ａ、７ｂの斜面に反射された光Ｌ４のみが導光板４から出射し、ハーフミラー３を透過し、ハーフミラー３の上に発光エリア８ａ、８ｂを形成し、照明光として図示しない観察者を照明する。ここで、光取り出し構造７ａ、７ｂの斜面以外、例えば、導光板４の背面と垂直な面で反射された光Ｌ５は、導光板４から出射されることなく、導光板４内部を再び進行する。つまり、実施形態２の鏡付き照明１ｂでは、発光エリア８ａにおいては下から上に向かう光のみが照明光として出射され、発光エリア８ｂにおいては上から下に向かう光のみが照明光として出射される。
【００４３】
したがって、実施形態２の鏡付き照明１ｂは、上記構成をもって、観察者が自身の鏡像をハーフミラー３上の中心に映して利用する際に、適した照明効果を観察者に与えることができる。
【００４４】
〔実施形態３〕
次に、実施形態３に係る鏡付き照明１ｃについて説明する。図４（Ａ）は実施形態３の鏡付き照明１ｃの概略断面図であり、図４（Ｂ）は実施形態３の鏡付き照明１ｃを観察者側から見た正面図である。
【００４５】
実施形態３に係る鏡付き照明１ｃは、実施形態１に係る鏡付き照明１ａと異なり、鏡体５がハーフミラー３とその背面に積層された２枚の導光板４ａ、４ｂからなり、導光板４ａ、４ｂそれぞれの下端面に光源６ａ、６ｂを配置した構成になっており、その他の構成を実施形態１と同様にして、その主要部が構成されている。
【００４６】
導光板４ａは、ハーフミラー３と対向していない背面の下部にのみ複数の微細な光取り出し構造７を有し、導光板は４ｂ、ハーフミラー３と対向していない背面の上部にのみ複数の微細な光取り出し構造７を有している。
【００４７】
実施形態３に係る鏡付き照明の作用について説明する。
【００４８】
実施形態３の鏡付き照明１ｃでは、光源６ａのみを点灯させた場合には、導光板４ａの下部に設けた光取り出し構造７により反射された光のみが導光板４ａから出射し、導光板４ｂとハーフミラー３を透過し、発光エリア８ａを形成し、図示しない観察者を照明する。一方で、光源６ｂのみを点灯させた場合には、導光板４ｂの上部に設けた光取り出し構造７により反射された光のみが導光板４ｂから出射し、ハーフミラー３を透過し、発光エリア８ｂを形成し、図示しない観察者を照明する。ここで、光源６ａ、６ｂの両方を点灯させた場合には、導光板４の上部に設けた光取り出し構造から反射された光と導光板の下部に設けた光取り出し構造により反射された光の両方で観察者を照明する。
【００４９】
これにより、観察者は、下側からだけの照明、上側からだけの照明、上下両側からの照明、または消灯の照明環境を必要に応じて適宜選択することができる。
【００５０】
なお、実施形態３の鏡付き照明１ｃは、図４（Ａ）中では、導光板４ａ、４ｂのそれぞれの光取り出し構造７の位置を重ならないようにしているが、それぞれの光取り出し構造７の位置を重ね、図４（Ｂ）において発光エリア８ａ、８ｂを重ねてもよい。
【００５１】
また、実施形態３の鏡付き照明１ｃにおいて、積層する導光板の枚数は、特に制限がない。少なくとも一つの側端部に光源を配した導光板を複数積層されたものが、ハーフミラー３の背面に配置されればよい。また、積層された複数の導光板４ａ、４ｂにおいて、ハーフミラー３と対向していない背面の異なる位置に、光取り出し構造７を設けられることにより、観察者の背丈に合わせて、発光エリア８の位置を適宜選択変更することができる。
【００５２】
さらに、ここで複数個用いられる光源６の発光色は必ずしも同色である必要はなく、必要に応じて波長及び発光色の異なる光源を用いてもよい。例えば、導光板４ａ、４ｂにおいて、それぞれの光取り出し構造７の位置を同じ高さにし、光源４ａには昼白色ＬＥＤを用い、光源４ｂには電球色ＬＥＤを用いることで、発光色の切り替えが可能な照明を提供することが可能である。
【００５３】
〔実施形態４〕
次に、実施形態４に係る鏡付き照明１ｄについて説明する。図５（Ａ）は実施形態４の鏡付き照明１ｄの概略断面図であり、図５（Ｂ）は実施形態４の鏡付き照明１ｄを観察者側から見た正面図である。
【００５４】
実施例４に係る鏡付き照明１ｄは、図５（Ａ）が示すように、実施形態１の鏡付き照明１ａと異なり、導光板４の下端面と上端面に光源６ａ、６ｂを配置しており、その他の構成は実施形態１と同様にしてその主要部が構成される。
【００５５】
光源６ａと光源６ｂは、それぞれ異なる発光色を有し、例えば、光源６ａの発光色は電球色とし、光源６ｂの発光色は昼白色とする。また、光源６ａ、６ｂは電球色、昼白色といった白色に制限されるわけではなく、緑や赤といった単色を用いてもよい。
【００５６】
実施形態４に係る鏡付き照明１ｄの作用について説明する。
【００５７】
光源６ａを点灯させ、光源６ｂを消灯させた場合には、光源６ａから出射された光のみで電球色の発光エリア８を形成し、観察者を照射し、一方で光源６ａを消灯させ、光源６ｂを点灯させた場合には、光源６ｂから出射された光のみで昼白色の発光エリア８を形成し、観察者を照射する。
【００５８】
したがって、実施形態４に係る鏡付き照明１ｄは、点灯させる光源を適宜選択することで、１枚の導光板であっても、観察者を照明する光の色を周囲の照明や外光に応じて選択することができる。
【００５９】
〔実施形態５〕
次に、実施形態５に係る鏡付き照明１ｅについて説明する。図６（Ａ）は実施形態５に係る鏡付き照明１ｅの概略断面図であり、図６（Ｂ）は実施形態５の鏡付き照明１ｅを観察者側から見た正面図である。
【００６０】
実施形態５に係る鏡付き照明１ｅは、図６（Ａ）及び図６（Ｂ）が示すように、実施形態１の鏡付き照明１ａにおいて、鏡フレーム２の上部中央に人体検知センサ９を設けた構成となっている。
【００６１】
鏡フレーム２の上部中央に設けられた人体検知センサ９は、例えば、焦電型赤外線素子を備えて人体から放射される赤外線を検知する赤外線検知センサや、超音波振動子を備えて人体に反射する超音波により人体を検知する超音波センサなどを用いることができる。
【００６２】
実施形態５に係る鏡付き照明１ｅの作用について説明する。
【００６３】
実施形態５に係る鏡付き照明１ｅは、鏡フレーム２の上部中央に設けられた人体検知センサ９と、光源６を連動させることで、例えば、人体検知センサ９により実施形態５に係る鏡付き照明１ｅから所定の距離に観察者が接近したことを検知すると光源６が点灯し、反対に実施形態５に係る鏡付き照明１ｅから所定の距離に観察者が離れたことを検知すると光源６が消灯するように設定される。
【００６４】
上記の構成によって、実施形態５に係る鏡付き照明１ｅは、観察者の接近することにより照明を点灯させ鏡付き照明として機能し、観察者が離れることにより照明を消灯し単なる鏡として機能するよう、本発明の意外性を効果的に演出することができる。また、実施形態５に係る鏡付き照明１ｅは、上記構成によって、照明として使用していない時は、無駄な電気を使用させないといった省エネルギー性も備えることができる。
【００６５】
また、人体検知センサにより観察者の背丈を認識することで、観察者に合わせた高さの照明を点灯させることが可能な照明の提供が可能である。
【符号の説明】
【００６６】
１ａ            実施形態１の鏡付き照明
１ｂ            実施形態２の鏡付き照明
１ｃ            実施形態３の鏡付き照明
１ｄ            実施形態４の鏡付き照明
１ｅ            実施形態５の鏡付き照明
２              鏡フレーム
３              ハーフミラー
４、４ａ、４ｂ  導光板
５              鏡体
６、６ａ、６ｂ  光源
７、７ａ、７ｂ  光取り出し構造
８、８ａ、８ｂ  発光エリア
１００          姿見鏡
１０１          鏡
１０２          面発光光源
１０３          ランプ
１０４          導光板
１０５          ハーフミラー
１０６          裏板
【図１】
2015039560.tif 000003
【図２】
2015039560.tif 000004
【図３】
2015039560.tif 000005
【図４】
2015039560.tif 000006
【図５】
2015039560.tif 000007
【図６】
2015039560.tif 000008
【図７】
2015039560.tif 000009
【図８】
2015039560.tif 000010